(57)【特許請求の範囲】
【請求項１】
画像形成装置の筐体に形成した開口部に、前記開口部を開閉する蓋体を設け、前記開口部の内面側に爪部を設け、該爪部によって前記蓋体の閉鎖状態を維持する画像形成装置であって、
前記蓋体に、前記爪部に掛止可能なロック板部を設け、
当該ロック板部に、
前記蓋体に回動可能に保持される回動軸と、
前記爪部に掛止して前記蓋体の閉鎖状態をロックする掛止爪と、
自由端部が前記蓋体に当接して前記掛止爪を前記爪部に押し当てる弾性を有するスプリング部と、
前記蓋体から筐体外側に露出する把手部とを一体に設け、
前記スプリング部は、「Ｓ」字形状、「Ｚ」字形状の何れかからなる湾曲した板部によって構成されていることを特徴とする画像形成装置。
【請求項２】
請求項１の画像形成装置において、
前記スプリング部は、前記ロック板部の両端部に形成されていることを特徴とする画像形成装置。
【請求項３】
請求項１、２の何れかの画像形成装置において、
前記スプリング部は、前記ロック板部の両端部間の何れかに１以上形成されていることを特徴とする画像形成装置。
【請求項４】
請求項１乃至請求項３の何れかの画像形成装置において、
前記蓋体に前記回動軸を保持する保持穴部が形成され、前記回動軸の断面は長径と短径とを有する非円形断面形状を有し、該保持穴部の奥部に前記回動軸の長径部分が軸回り方向に回転可能な円弧部を有すると共に、前記保持穴部の前記回動軸の挿入口から前記円弧部の間の幅は前記回動軸の短径より大きく且つ前記回動軸の長径より小さく設定されていることを特徴とする画像形成装置。
【請求項５】
請求項４の画像形成装置において、
前記回動軸の前記非円形断面形状は、Ｄ字断面形状であることを特徴とする画像形成装置。
【請求項６】
請求項１乃至請求項５の何れかの画像形成装置において、
前記画像形成装置は、複写機、プリンタ、ファクシミリの何れかであることを特徴とする画像形成装置。
【発明の詳細な説明】
【技術分野】
【０００１】
本発明は、画像形成装置の筐体において、特に、筐体に取り付けられる蓋体の取付構造を工夫した画像形成装置に関する。
【背景技術】
【０００２】
従来から、画像形成装置であるコピー機やプリンター等では、印字装置や定着装置等の内部機構に紙が詰まるジャム等が発生したとき、或いはインクやトナー等を充填するときに、蓋体を開けて内部の作業等を行うことがある。この蓋体の例えば下縁部は、筐体の開口部の下縁部等に取り付けられたヒンジに取り付けられ、蓋体の上縁部と筐体の開口部の上縁部には、通常時の蓋体による閉鎖状態を維持する開閉機構が設けられている。
【０００３】
開閉機構の一方は蓋体側に設けられる掛止爪であり、開閉機構の他方は筐体側に設けられる爪受け部である。蓋体には、開口部を開ける際に前述の開閉機構のロックを解除するために、ロック解除機構が設けられている。ロック解除機構は例えば、前述の掛止爪か若しくは爪受け部のどちらかを回動させる等して、掛止爪と爪受け部とを離間させるように、例えば、掛止爪と蓋体の取っ手とをリンクさせて構成される。
【０００４】
蓋体に設けた掛止爪を回動可能とするために、蓋体に対して回動可能な板状の掛止爪部材の外周縁部に掛止爪を形成し、掛止爪部材と蓋体との間にスプリング等の付勢部材を介在させており、このスプリングの弾性によって掛止爪部材が蓋体に対して一定の姿勢をとるようになっている。また、掛止爪部材には回動動作の力を受けるための把手部が設けられ、この把手部が蓋体部から突出し、筐体の外側から把手部を把握して蓋体の開閉操作を行うことができるようになっている。
【特許文献１】特開２００４−１９６５１１号公報
【特許文献２】特開２００４−１３８７７５号公報
【発明の開示】
【発明が解決しようとする課題】
【０００５】
しかしながら、上述の画像形成装置の掛止爪部材は、掛止爪を形成した支持板部と、この支持板部を蓋体に支持するためのヒンジ固定部や、スプリング、把手部等が別体で構成され、部品の点数や組立等の作業工数が多いので、コストが高くなるという問題がある。
【０００６】
本発明は、このような問題に着目してなされたものであり、蓋体の開閉状態をロックする開閉機構の構造をより簡単且つ組立工程の少ないものとして、低コストなものとすることを目的とする。
【課題を解決するための手段】
【０００７】
上記課題を解決するために、本願の請求項１の画像形成装置は、画像形成装置の筐体に形成した開口部に、前記開口部を開閉する蓋体を設け、前記開口部の内面側に爪部を設け、該爪部によって前記蓋体の閉鎖状態を維持する画像形成装置であって、前記蓋体に、前記爪部に掛止可能なロック板部を設け、当該ロック板部に、前記蓋体に回動可能に保持される回動軸と、前記爪部に掛止して前記蓋体の閉鎖状態をロックする掛止爪と、自由端部が前記蓋体に当接して前記掛止爪を前記爪部に押し当てる弾性を有するスプリング部と、前記蓋体から筐体外側に露出する把手部とを一体に設け、前記スプリング部は、「Ｓ」字形状、「Ｚ」字形状の何れかからなる湾曲した板部によって構成されていることを特徴とする。
【０００９】
本願の請求項２の画像形成装置は、請求項１の画像形成装置において、前記スプリング部は、前記ロック板部の両端部に形成されていることを特徴とする。
【００１０】
本願の請求項３の画像形成装置は、請求項１、２の何れかの画像形成装置において、前記スプリング部は、前記ロック板部の両端部間の何れかに１以上形成されていることを特徴とする。
【００１１】
本願の請求項４の画像形成装置は、請求項１乃至請求項３の何れかの画像形成装置において、前記蓋体に前記回動軸を保持する保持穴部が形成され、前記回動軸の断面は長径と短径とを有する非円形断面形状を有し、該保持穴部の奥部に前記回動軸の長径部分が軸回り方向に回転可能な円弧部を有すると共に、前記保持穴部の前記回動軸の挿入口から前記円弧部の間の幅は前記回動軸の短径より大きく且つ前記回動軸の長径より小さく設定されていることを特徴とする。
【００１２】
本願の請求項５の画像形成装置は、請求項４の画像形成装置において、前記回動軸の前記非円形断面形状は、Ｄ字断面形状であることを特徴とする。
【００１３】
本願の請求項６の画像形成装置は、請求項１乃至請求項５の何れかの画像形成装置において、前記画像形成装置は、複写機、プリンタ、ファクシミリの何れかであることを特徴とする。
【発明の効果】
【００１６】
本願の請求項１の画像形成装置によれば、筐体の開口部を閉鎖した蓋体に、開口部の閉鎖状態を維持するロック板部を設け、このロック板部に、回動軸、掛止爪、可撓性板部及び把手部を一体に設けたので、部品点数や作業工数が少なくなり、低コストになると共に、樹脂により一体成形すると軽量化できる。
また、スプリング部が「Ｓ」字形状又は「Ｚ」字形状からなる湾曲した板部によって構成されているので、スプリング部の基部から自由端部までの直線距離は短くても撓む範囲が長くなり、撓むときの変形量を大きく取ることができる。これにより、蓋体及び爪部を押す力を必要以上に大きくすることなくロック板部と爪部の掛止状態を十分に維持できるとともに、ロック板部の回動領域を大きくすることができる。
【発明を実施するための最良の形態】
【００１７】
以下、本発明の実施の形態にかかる画像形成装置及び筐体用蓋体の開閉機構並びにロック部材を図面を用いて説明する。
【００１８】
図１は本発明の実施の形態にかかるロック部材を示し、図２はロック部材の回動軸及びスプリング部近傍の構成を示す。図３は蓋体へのロック部材の支持状態を示し、図４は蓋体におけるロック部材の配備状態を示す。また、図５はロック部材と蓋体並びに開口部内の爪部との掛止状態を示し、図６は蓋体側の保持穴の形状を示す。図７は画像形成装置としての複写機の正面図、図８は複写機の手差しトレイとなる蓋体の構成を示す。画像形成装置としては複写機を用いているが、プリンターやファクシミリでも良い。
【００１９】
図７、図８に示すように、複写機１の筐体２の側面部には手差し用紙を挿入する開口部３が形成されており、この開口部３に複写機１の内部調整用の蓋体４が取付軸５を介して取り付けられている。この発明では、画像形成装置の蓋体としては、例えば、内部調整のための蓋体４の代わりに手差しトレイでも良く、手差しトレイの開閉機構にロック部材を適用しても良い。
【００２０】
蓋体４は図４に示すように両側面部下部に筐体２の開口部３の内側縁部に回動可能に保持される回動軸５が突設されている。蓋体４の上部は上縁板部６が蓋体４と一体に形成されているが、この実施の形態では説明のために蓋体４から分離させている。蓋体４の上部にはロック部材７が配備されている。ロック部材７と爪部８は蓋体４の開閉機構を構成する。
【００２１】
このロック部材７は、図５に示すように、開口部３の内側天井部に突設される爪部８の掛止部８Ａに掛止される。筐体側の爪部８は掛止部８Ａと凹部８Ｂを備えており、凹部８Ｂにロック部材７の掛止爪９が挿入されると、掛止爪９が掛止部８Ａに掛止され、蓋体４が開口部３を閉鎖する状態が維持される。
【００２２】
把手部１３は図５、図７の矢印Ａ方向に持ち上げるとロック部材７が矢印Ｂ方向に回動して掛止爪９が凹部８Ｂから退避し、掛止爪９が掛止部８Ａから離脱し、蓋体４の径差状態が解放されて蓋体４が開く。
【００２３】
この実施の形態では、ロック部材７は、例えば、ＡＢＳ樹脂やアクリル樹脂等のプラスチックで一体に成形される。図１はロック部材７の形状を示す。ロック部材７は、開口部３の上縁部に沿って水平に延びる板状のロック板部１０を有する。ロック板部１０には掛止爪９と回動軸１１とスプリング部１２並びに把手部１３が一体に形成されている。
【００２４】
掛止爪９はロック板部１０の長手方向の両端部にそれぞれ形成されている。掛止爪９は爪部８の凹部８Ｂより小さな形状を有し、凹部８Ｂ内部に挿入可能な大きさとなるように形成されている。
【００２５】
ロック板部１０の左右側部には回動軸１１が突出している。各々の回動軸１１はアルファベット文字「Ｄ」のような断面形状を有している。回動軸１１の非円形断面形状は、このような「Ｄ」字形状に限らず、長径と短径とを有する楕円断面や非対称楕円でもよい。
【００２６】
蓋体４の左右側縁部の内側には図１の一点鎖線に示すような保持板部１４がそれぞれ縦方向に向かって突設されており、この保持板部１４に、図６に示すように、回動軸１１を保持するための保持穴部１５がそれぞれ斜めに下がるように傾斜して形成されている。保持穴部１５の奥部は径の大きな円形部１５Ａとされ、保持穴部１５の入り口及び挿入路１５Ｂは回動軸１１の「Ｄ」字断面の横（短径）の長さより長く、「Ｄ」字断面の縦（長径）の長さより短く設定されている。これによって、回動軸１１が保持穴部１５から抜け難くなっている。
【００２７】
ロック板部１０はこの回動軸１１によって蓋体４に対して上下に回動可能とされ、掛止爪９が爪部８の凹部８Ｂに対して進入して掛止部８Ａに掛止されたり、凹部８Ｂから離間して蓋体４の掛止状態を解除したり出来るようになっている。
【００２８】
スプリング部１２は、この実施の形態では、「Ｓ」字形状に湾曲しており、ロック板部１０の両端部にそれぞれ形成されている。スプリング部１２の自由端部は蓋体４の内側壁面に当たってロック板部１０の掛止爪９を爪部８側に向かって押し上げる弾性力を発生させるものである。このスプリング部１２は「Ｚ」字形状に屈曲していても良い。
【００２９】
このようにスプリング部１２が屈曲若しくは湾曲して形成されているので、スプリング部１２の撓む領域を大きく取ることができ、ロック板部１０の回動領域、特に、掛止爪９の回動領域を大きく取ることができる。よって、従来、蓋体にスプリングを設けてロック板部を開口部の爪部側に付勢していたが、可撓性板部であるスプリング部１２を一体に形成することで、スプリングを装着する部位やネジ・ワッシャ・固定金具が不要となり、組み立て作業工数や部品点数が顕著に少なくなる。また、ロック板部１０を把手部１３によって図５、図７の矢印Ａ方向に回動させるときに、僅かに把手部１３を動かしただけで掛止爪９が爪部８から外れてしまうことがない。さらに、スプリング部１２が「Ｓ」字形状、「Ｚ」字形状の何れかからなる湾曲した板部で形成されているので、基部から自由端部までの直線距離は短くても撓む範囲を長くして、撓むときの変形量を大きく取ることができ、蓋体４及び爪部８を押す力を必要以上に大きくすることなくロック板部１０と爪部８の掛止状態を十分に維持できると共に、ロック板部１０の回動領域を大きくすることができる。
【００３０】
また、スプリング部１２はロック板部１０の両端部に形成されているので、捻りに対する反力を大きく取ることができ、ロック板部１０の掛止爪９を筐体４側の開口部の爪部８に掛止させておく力を大きくできる。
【００３１】
更に、掛止爪９が爪部８を強く押しつけるほど、スプリング部１２の弾性力をあまり強くする必要がなく、掛止爪９や爪部８の摩耗が極力少なくなるようになっている。スプリング部１２の自由端部は、蓋体４の内壁面に当接するために、丸い断面となるように形成されており、スプリング部１２自身及び蓋体４の内壁面４Ａの摩耗を防止している。なお、このスプリング部１２はロック板部１０の中間部に１以上設けても良い。スプリング部１２がロック板部１０の両端部間の何れかに１以上設けられていると、開口部や蓋体の形状に応じてスプリング部１２を設定できる。
【００３２】
ロック板部１０には一対の挿入穴１６が形成され、その一対の挿入穴１６の間に軸１７が形成されている。この軸１７は蓋体４の内壁面に設けた図示しない「Ｕ」字形状の軸受突起に保持され、回動軸１１と同軸上に位置するように対応している。
【００３３】
蓋体４の保持穴部１５にロック板部１０の回動軸１１を挿入した後に、回動軸１１を保持穴部１５の奥部の円弧部に位置させると、ロック板部１０の回動によって回動軸１１が保持穴部１５から抜けなくなり、ロック板部１０が蓋体４に対して回動自在に装着される。
【００３４】
しかも、回動軸１１の非円形断面形状がＤ字形状であるので、ロック板部１０が挿入し易く、回動が滑らかである。この開閉機構を、複写機、プリンタ、ファクシミリに適用すると、蓋体４を軽量化できるので、装置内部の点検やトナー交換或いはジャム解消の際に蓋体の開閉する手間も楽になる。また、画像形成装置以外の他の装置等に適用すると、筐体開口部を蓋体４によって閉鎖する機構を低コストなものにすることができ、樹脂で一体成形することにより軽量化することもできる。ロック板部１０を樹脂で成形することで、スプリング部１２も樹脂で形成され、ロック板部１２にスプリングを取り付ける必要がなく、部品点数や作業工数を減少でき、部品コストを大幅に低廉化できる。
【００３５】
上記の実施の形態では、複写機を例とする画像形成装置の蓋体４に開閉装置としてロック部材７を適用しているが、上記の実施の形態に限るものではなく、蓋体４の開閉装置として、画像形成装置以外の装置例えばコンピュータのドアや車両或いは建物の内装設備のドアやカバー等のロック部材７として適用することもできる。
【図面の簡単な説明】
【００３６】
【図１】本発明の実施形態にかかる画像形成装置の蓋体のロック部材の斜視図。
【図２】図１のロック部材の端部の掛止部及び回動軸並びにスプリング部の組み付け状態を示す部分斜視図。
【図３】図１のロック部材を蓋体の保持板部に保持させた状態の斜視図。
【図４】蓋体に開閉装置としてのロック部材を設けた状態を示す分解斜視図。
【図５】蓋体にロック部材を取り付けた状態を示す図。
【図６】蓋体の保持板部にロック部材を取り付ける状態を示す図。
【図７】画像形成装置としての複写機に蓋体が設置される状態を正面側から示す説明図。
【図８】画像形成装置としての複写機に蓋体が設置される状態を側面から示す説明図。
【符号の説明】
【００３７】
１  複写機（画像形成装置）
２  筐体
３  開口部
４  蓋体
５  回動軸
７  ロック部材
８  爪部
９  掛止部
１０  ロック板部
１１  回動軸
１２  スプリング部
１３  把手部
【図１】
0004593453.tif 000002
【図２】
0004593453.tif 000003
【図３】
0004593453.tif 000004
【図４】
0004593453.tif 000005
【図５】
0004593453.tif 000006
【図６】
0004593453.tif 000007
【図７】
0004593453.tif 000008
【図８】
0004593453.tif 000009